(57)【要約】      （修正有）【課題】生体から精度良くバイタル値を検出する手首などの生体に装着されるバンドを提供する。【解決手段】バンド３は、本体３０と、センサ５と、導線７とを備える。上記本体は、電子モジュールを内蔵する筐体２を保持するとともに生体に巻かれる。上記センサは、上記本体に設けられ、上記生体から脈拍や体温などのバイタル値を検出する。上記導線は、上記センサと上記電子モジュールとを電気的に接続する。人の手首以外の人の腕、脚、首、指にも装着される。【選択図】図１
2015223220.tif 000002
【特許請求の範囲】
【請求項１】
電子モジュールを内蔵する筐体を保持するとともに生体に巻かれる本体と、
前記本体に設けられ、前記生体からバイタル値を検出するセンサと、
前記センサと前記電子モジュールとを電気的に接続する導線と、
を備えるバンド。
【請求項２】
前記本体は、前記導線を通す通路を内部に有し、
前記導線の少なくとも一部は、前記通路においてらせん状に巻かれている、
請求項１に記載のバンド。
【請求項３】
前記通路は、内径が拡大する拡大部分を有し、
前記導線は、前記拡大部分においてらせん状に巻かれている、
請求項２に記載のバンド。
【請求項４】
前記本体は、
前記筐体を着脱自在に保持するホルダと、
前記導線を介して前記センサと電気的に接続され、前記ホルダが前記筐体を保持した状態において前記筐体に設けられた第１端子と導通する第２端子と、
をさらに備える、請求項１乃至３のうちいずれか１項に記載のバンド。
【請求項５】
前記本体は、
前記生体と向い合う内周面と、この内周面の反対側の外周面とを有し、前記センサが設けられる第１部分と、
前記外周面から延出し、前記筐体の第１端部を前記外周面に対して移動可能に保持する第２部分と、
前記外周面側から延出し、前記筐体の第２端部を前記外周面に対して移動可能に保持する第３部分と、
を備える、請求項１乃至３のうちいずれか１項に記載のバンド。
【請求項６】
前記第２部分は、前記第１端部を着脱自在に保持する第１ホルダを備え、
前記第３部分は、前記第２端部を着脱自在に保持する第２ホルダを備え、
前記第２部分及び前記第３部分の少なくとも一方は、前記導線を介して前記センサと電気的に接続されるとともに前記第１ホルダ及び前記第２ホルダが前記第１端部及び前記第２端部をそれぞれ保持した状態において前記筐体に設けられた第１端子と導通する第２端子を備える、
請求項５に記載のバンド。
【請求項７】
前記第１部分、前記第２部分及び前記第３部分は、樹脂材料によって一体的に形成されている、
請求項５又は６に記載のバンド。
【請求項８】
電子モジュールを内蔵する筐体と、
前記筐体を保持するとともに生体に巻かれるバンドと、
前記バンドに設けられ、前記生体からバイタル値を検出するセンサと、
前記センサと前記電子モジュールとを電気的に接続する導線と、
を備える電子機器。
【請求項９】
前記筐体は、前記電子モジュールと電気的に接続された第１端子を備え、
前記バンドは、
前記筐体を着脱自在に保持するホルダと、
前記導線を介して前記センサと電気的に接続され、前記ホルダが前記筐体を保持した状態において前記第１端子と導通する第２端子と、
を備える、請求項８に記載の電子機器。
【請求項１０】
前記バンドは、
前記生体と向い合う内周面と、この内周面の反対側の外周面とを有し、前記センサが設けられる第１部分と、
前記外周面から延出し、前記筐体の第１端部を前記外周面に対して移動可能に保持する第２部分と、
前記外周面から延出し、前記筐体の第２端部を前記外周面に対して移動可能に保持する第３部分と、
を備える、請求項８に記載の電子機器。
【請求項１１】
前記筐体は、前記電子モジュールと電気的に接続された第１端子を備え、
前記第２部分は、前記第１端部を着脱自在に保持する第１ホルダを備え、
前記第３部分は、前記第２端部を着脱自在に保持する第２ホルダを備え、
前記第２部分及び前記第３部分の少なくとも一方は、前記導線を介して前記センサと電気的に接続されるとともに前記第１ホルダ及び前記第２ホルダが前記第１端部及び前記第２端部をそれぞれ保持した状態において前記第１端子と導通する第２端子を備える、
請求項１０に記載の電子機器。
【請求項１２】
前記センサを複数備え、
前記電子モジュールは、前記バイタル値の検出に用いるセンサを複数の前記センサから選択する、
請求項８乃至１１のうちいずれか１項に記載の電子機器。
【発明の詳細な説明】
【技術分野】
【０００１】
本発明の実施形態は、バンド及び電子機器に関する。
【背景技術】
【０００２】
バンドによって人の手首などの生体に装着され、この生体から脈拍や体温などのバイタル値を検出するセンサを備えた電子機器が開発されている。
【先行技術文献】
【特許文献】
【０００３】
【特許文献１】特開２０１２−２３７６７０号公報
【特許文献２】特開２００３−２５９１７９号公報
【発明の概要】
【発明が解決しようとする課題】
【０００４】
上記センサにより精度良くバイタル値を検出することが求められている。
【課題を解決するための手段】
【０００５】
一実施形態に係るバンドは、本体と、センサと、導線とを備える。上記本体は、電子モジュールを内蔵する筐体を保持するとともに生体に巻かれる。上記センサは、上記本体に設けられ、上記生体からバイタル値を検出する。上記導線は、上記センサと上記電子モジュールとを電気的に接続する。
【図面の簡単な説明】
【０００６】
【図１】図１は、第１実施形態に係る電子機器の一例を模式的に示す図である。
【図２】図２は、上記電子機器におけるセンサのベースとバンドの本体との連結機構の一例を模式的に示す図である。
【図３】図３は、上記電子機器におけるバンドの装着機構の一例を模式的に示す図である。
【図４】図４は、図１におけるIV-IV断面の一例を示す図である。
【図５】図５は、上記バンドの本体の内部で延びる管及び導線の一例を模式的に示す図である。
【図６】図６は、上記電子機器の筐体、第１ホルダ及び第２ホルダの構造の一例を模式的に示す図である。
【図７】図７は、上記バンドに設けられるセンサと上記筐体とを電気的に接続するための第１端子及び第２端子の一例を模式的に示す図である。
【図８】図８は、上記第１端子及び第２端子の他の例を模式的に示す図である。
【図９】図９は、バッテリの充電方法の一例を模式的に示す図である。
【図１０】図１０は、第２実施形態に係る電子機器の一例を模式的に示す図である。
【図１１】図１１は、上記電子機器の筐体、第１ホルダ及び第２ホルダの構造の一例を模式的に示す図である。
【図１２】図１２は、第２実施形態に係る電子機器が生体に装着された状態を模式的に示す図である。
【図１３】図１３は、第２実施形態に係る電子機器が生体に装着された状態を模式的に示す図である。
【図１４】図１４は、第２実施形態に係る電子機器の作用の一例を説明するための図である。
【図１５】図１５は、第２実施形態に係る電子機器の作用の一例を説明するための図である。
【図１６】図１６は、電子機器の筐体の裏面に電子モジュールが配置される変形例を説明するための図である。
【図１７】図１７は、電子機器のバンドに複数のセンサが設けられる変形例を説明するための図である。
【発明を実施するための形態】
【０００７】
いくつかの実施形態につき、図面を参照しながら説明する。各図面に示す要素は、説明を容易にするために、実際の態様に比べて寸法及び形状などを模式的に表す場合がある。また、同一或いは類似の要素には同一の符号を付し、重複する説明を省略する場合がある。
【０００８】
（第１実施形態）
図１は、第１実施形態に係る電子機器の一例を模式的に示す図である。図示した電子機器１は、筐体２と、バンド３とを備える。電子機器１は、例えば、バンド３を人の手首に巻く（手首を通す）ことにより、腕時計のように人体に装着される。但し、電子機器１は、人の手首以外の生体、例えば人の腕、脚、首、指、或いは人を除く動物などに装着されるものであってもよい。
【０００９】
筐体２は、第１面２ａ（オモテ面）と、第２面２ｂ（裏面）と、これら第１面２ａ及び第２面２ｂを繋ぐ周面とを有し、例えばプラスチック、金属、或いは合金などの剛性を有する材料（剛体）によって形成されている。
【００１０】
筐体２は、ディスプレイ２０と、プロセッサやメモリを含むコントローラ２１と、これらディスプレイ２０及びコントローラ２１などに電源を供給するバッテリ２２とを内部に備える。ディスプレイ２０は、例えば、第１面２ａに露出した画面に各種の画像を表示する表示パネルと、ユーザの指やスタイラスなどによる操作を検出するタッチパネルとを備える。表示パネルの表示素子としては、例えば液晶素子や有機ＥＬ素子などを適用できる。タッチパネルの検出方式としては、例えば静電容量方式や抵抗膜方式などを適用できる。ディスプレイ２０及びコントローラ２１は、電子モジュールの一例である。
【００１１】
バンド３は、本体３０と、第１ホルダ４ａと、第２ホルダ４ｂと、センサ５と、装着機構６（バックル）とを備える。本体３０は、例えば、ウレタンゴムなどの合成ゴム或いは天然ゴムのような柔軟性及び伸縮性を有する樹脂材料によって帯状に形成されている。本体３０は、外周面３０ａと、内周面３０ｂとを有する。内周面３０ｂはバンド３が生体に巻かれた際に生体と向い合う面であり、外周面３０ａは内周面３０ｂの反対側の面である。
【００１２】
第１ホルダ４ａは、筐体２の第１端部２ｃを保持する。第２ホルダ４ｂは、第１端部２ｃと反対側の、筐体２の第２端部２ｄを保持する。
【００１３】
センサ５は、バンド３が巻かれた手首などの生体からバイタル値を検出する。バイタル値は、例えば、脈拍数、心拍数、体温、血圧などの生体情報（いわゆるバイタルサイン）を測定するための値である。他の例として、バイタル値は、血中酸素飽和度、汗に含まれる塩分量などの成分、皮膚の水分量、皮膚の油分量、皮膚の弾力などの生体情報を測定するための値であってもよい。汗に含まれる塩分量に基づけば、熱中症の危険性などを判定することができる。また、皮膚の水分量、皮膚の油分量、皮膚の弾力に基づけば、肌年齢などを判定することができる。
【００１４】
センサ５及びコントローラ２１は、本体３０の内部を通る複数の導線７（ケーブル、ハーネス）により電気的に接続されている。コントローラ２１は、導線７を介してセンサ５から入力される信号が示すバイタル値を用いた種々の処理を実行する。例えば、コントローラ２１は、バイタル値をメモリに保存するとともに、ディスプレイ２０に表示する。また、コントローラ２１は、バイタル値に基づく各種の判定を実行し、ディスプレイ２０などを用いて判定結果を報知する。その他にも、コントローラ２１は、日付、時刻、気温、湿度、天気などをディスプレイ２０に表示してもよい。また、コントローラ２１は、タッチパネルにより操作可能な各種のアイコンなどのＧＵＩ（Graphical User Interface）をディスプレイ２０に表示し、このＧＵＩの操作に応じた処理を実行してもよい。このような電子機器は、スマートウォッチなどと呼ばれることがある。
【００１５】
図１の例において、センサ５は、ベース５０の内周面３０ｂ側の面に取り付けられている。ベース５０は、例えばプラスチック、金属、或いは合金のような剛性を有する材料（剛体）によって形成されている。ベース５０は、連結機構５１ａ，５１ｂによって本体３０に連結されている。
【００１６】
図２は、連結機構５１ａ，５１ｂの一例を模式的に示す図であって、内周面３０ｂ側から見た本体３０及びベース５０の一部を断面にて表している。図２における連結機構５１ａは、インサート成形によりベース５０を本体３０に連結する場合を示す。すなわち、ベース５０は、本体３０の延出方向における端部に複数の貫通孔５２を有する。本体３０は、内周面３０ｂ側及び外周面３０ａ側の双方において各貫通孔５２を覆うとともに、各貫通孔５２の内部にも満たされている。ベース５０を挟んだ両側における本体３０は、少なくとも一部が接続されていてもよいし、接続されていなくてもよい。なお、連結機構５１ａ，５１ｂの構造は、図２に示す例に限られず、種々の構造を適用可能である。
【００１７】
図３は、装着機構６の一例を模式的に示す図である。この図においては、第１ホルダ４ａ側から装着機構６に延びる本体３０（３０Ａ）と、第２ホルダ４ｂ側から装着機構６に延びる本体３０（３０Ｂ）とが分離している場合に適用可能な構造を示している。すなわち、装着機構６は、本体３０Ａに固定された第１金具６０と、本体３０Ｂに固定されたヒンジ６１と、このヒンジ６１により本体３０Ｂに対して回動可能に連結（軸支）されたフック６２及び第２金具６３とを備える。
【００１８】
第１金具６０は、本体３０Ａの外周面３０ａ側にピン６４，６５を備える。第２金具６３は、本体３０Ｂの内周面３０ｂ側にフック６６を備える。フック６２をピン６４に掛けて第１金具６０と第２金具６３とを位置決めし、この状態からフック６６をピン６５に掛けることで、第１金具６０と第２金具６３とが連結される。本体３０Ａ，３０Ｂを生体に巻き回した状態で第１金具６０と第２金具６３とを連結することにより、バンド３ないし電子機器１を生体に装着できる。第１金具６０を本体３０Ａに取り付ける位置を変更することにより、バンド３のサイズを調整することができる。
【００１９】
なお、装着機構６の構造は、図３に示す例に限られない。その他にも、本体３０Ａ，３０Ｂの一方に設けられた小孔に他方に設けられたピンを通して装着する構造や、端部同士が軸支された３つの金属片を折りたたんで装着する構造などを適用することもできる。
【００２０】
図４は、図１におけるIV-IV断面の一例を示す図である。本体３０の内部には、例えば第１ホルダ４ａと連結機構５１ａとの間に亘って中空の管３１が埋め込まれている。管３１は、例えば伸縮性を有する樹脂材料などで形成され、その内部が導線７の通路となる。導線７は、ベース５０、連結機構５１ａ、及び管３１の内部を通って第１ホルダ４ａに延びる。管３１の内壁と管３１の内部を通る導線７との間には僅かな隙間が形成されており、導線７は、管３１の内壁に対して摺動自在である。なお、管３１を設けずに、本体３０に通路を直接設けてもよい。
【００２１】
図４の例においては、３本の管３１が本体３０の内部に設けられ、これら管３１の内部にそれぞれ導線７が通っている。導線７は、いずれか１本がセンサ５への電源供給線であり、残りの２本がセンサ５からの出力線である。例えば、センサ５からこれら２本の出力線に出力される信号の差分がバイタル値に相当する。
【００２２】
図５は、本体３０の内部で延びる３本の管３１及び導線７の一例を模式的に示す図である。各管３１は、ぞれぞれ、内径が拡大した拡大部分３１ａを少なくとも１箇所に備える。導線７は、拡大部分３１ａにおいて、らせん状に巻かれている。
【００２３】
電子機器１を生体に取り付けた際には、本体３０が自然長から伸長し得る。導線７は、例えば銅や銅合金などの金属材料にて形成されており、伸縮性に乏しい。しかしながら、図５に示すように一部をらせん状に巻くことで、本体３０の伸長による張力がこのらせん状に巻かれた部分の伸縮によって吸収され、導線７の断線を防ぐことができる。
【００２４】
各管３１の拡大部分３１ａが本体３０の幅方向（図５における上下方向）に重なると、本体３０が肉薄となって本体３０の強度が劣化し得る。図５の例において、各拡大部分３１ａは、本体３０の幅方向（図５における上下方向）に重ならないように、本体３０の延出方向（図５における左右方向）にずらして配置されている。これにより、拡大部分３１ａが設けられた位置における本体３０の肉厚を十分に確保でき、本体３０の強度の劣化を防ぐことができる。
【００２５】
本実施形態において、第１ホルダ４ａ及び第２ホルダ４ｂは、筐体２を着脱自在に保持する。図６は、筐体２、第１ホルダ４ａ、及び第２ホルダ４ｂの構造の一例を模式的に示す図である。筐体２は、第１端部２ｃから突出した第１突出部分２３と、第２端部２ｄから突出した第２突出部分２４とを備える。
【００２６】
第１ホルダ４ａは、第１突出部分２３と嵌め合う溝状の第１ガイド４１を有する。第２ホルダ４ｂは、第２突出部分２４が挿入される溝状の第２ガイド４２を有する。さらに、第２ホルダ４ｂは、第２ガイド４２の内部に、可動片４３と、可動片４３と第２ガイド４２の内壁との間に介在する弾性体４４とを備える。弾性体４４は、例えば合成ゴムである。図６の例においては、第１ホルダ４ａと第２ホルダ４ｂとの間に、これらホルダを連結する連結部材４５が設けられている。
【００２７】
第１突出部分２３を第１ガイド４１に差し込み、さらに第２突出部分２４を第２ガイド４２に差し込むと、弾性体４４が縮んで可動片４３を第２ガイド４２から押し出す方向への弾性力が生じる。この状態において、第１突出部分２３は、第１ガイド４１の内壁によって動きが規制される。第２突出部分２４は、弾性力が与えられた可動片４３と、第２ガイド４２の内壁とによって動きが規制される。このようにして、筐体２の第１端部２ｃ及び第２端部２ｄが、それぞれ第１ホルダ４ａ及び第２ホルダ４ｂによって保持される。
【００２８】
第１ホルダ４ａ、第２ホルダ４ｂ、及び連結部材４５は、例えばプラスチック、金属、或いは合金のような剛性を有する材料（剛体）によって一体的に形成されたものであってもよいし、個別に形成されて連結されたものであってもよい。また、第１ホルダ４ａ、第２ホルダ４ｂ、及び連結部材４５は、本体３０と一体的に形成されたものであってもよい。バンド３が筐体２を保持するための構造は、図６に示すものに限られず、種々の構造を適用可能である。例えば他の実施形態として、第１ホルダ４ａ及び第２ホルダ４ｂは、それぞれ第１端部２ｃ及び第２端部２ｄを固定的に保持するものであってもよい。
【００２９】
図６の例において、第１突出部分２３の底面（第２面２ｂ側の面）には、コントローラ２１と電気的に接続された複数の第１端子２５が設けられている。一方、第１ホルダ４ａの第１ガイド４１の内壁には、管３１を通る導線７を介してセンサ５と電気的に接続された複数の第２端子３２が設けられている。複数の第１端子２５は、例えば、センサ５への電源供給用、センサ５からの信号の入力用、バッテリ２２の充電用、接地用の端子を含む。複数の第２端子３２は、例えば、センサ５への電源供給用、センサ５からの信号の出力用、接地用の端子を含む。
【００３０】
図７は、第１端子２５及び第２端子３２の一例を模式的に示す図である。この図の例において、各第１端子２５及び各第２端子３２はいずれも矩形であり、等間隔で一列に配列されている。第１ホルダ４ａ及び第２ホルダ４ｂがそれぞれ第１突出部分２３及び第２突出部分２４を保持した状態においては、各第１端子２５がそれぞれ対応する第２端子３２と導通する。
【００３１】
図８は、第１端子２５及び第２端子３２の他の例を模式的に示す図である。この図の例において、各第１端子２５及び各第２端子３２はいずれも円形であり、千鳥状に配列されている。第１ホルダ４ａ及び第２ホルダ４ｂがそれぞれ第１突出部分２３及び第２突出部分２４を保持した状態においては、各第１端子２５がそれぞれ対応する第２端子３２と導通する。
【００３２】
図７及び図８の例において、例えば各第１端子２５及び各第２端子３２のいずれか一方を周囲の面から突出させ、他方を周囲の面から窪ませ、両者が嵌め合うようにしてもよい。このようにすれば、各第１端子２５及び各第２端子３２がずれにくくなり、筐体２及びバンド３に衝撃や振動が加わった際でも導通を確保できる。また、各第１端子２５及び各第２端子３２の近辺に水が付着した場合であっても、この水が各第１端子２５及び各第２端子３２に接触しにくくなる。これにより、導通すべきでない複数の第１端子２５、複数の第２端子３２、或いは第１端子２５と第２端子３２の短絡を防ぐことができる。
【００３３】
バッテリ２２は、筐体２をバンド３から取り外した状態で充電することができる。例えば図９に示すように、バッテリ２２は、クレードル８を用いて充電することができる。このクレードル８は、例えばコード８０を介してＡＣアダプタなどの電源装置に接続され、第１突出部分２３を挿し込むための挿込口８１を上面に備える。この挿込口８１の内部には、バッテリ２２を充電するための複数の端子が設けられている。挿込口８１に第１突出部分２３が挿し込まれた状態においては、これら複数の端子が各第１端子２５のうちの充電用及び接地用の端子などと導通し、バッテリ２２が充電される。
【００３４】
以上説明した本実施形態においては、柔軟性及び伸縮性を有する本体３０にセンサ５が設けられている。仮にセンサ５が剛性を有する筐体２の第２面２ｂに設けられていた場合、センサ５が生体に密着しにくいため、バイタル値を正確に検出できない恐れがある。これに対し、本実施形態においてはバンド３が生体に装着された際にセンサ５が生体の表面に密着し易く、バイタル値を正確に検出できる。
【００３５】
また、筐体２がバンド３に対して着脱自在であることにより、種々の好適な効果が得られる。例えば、筐体２が水に濡れ得る状況で電子機器１を使用する場合や、バッテリ２２を充電する場合などにおいて、バンド３を生体に装着したまま筐体２を取外すことができる。
【００３６】
また、筐体２をバンド３に着脱するための構造が同一であり、デザインや機能が異なる複数モデルの筐体２及びバンド３が別々に販売される場合などにおいては、ユーザの好みに合うように筐体２及びバンド３を組み合わせることができる。さらに、筐体２のモデル毎にバンド３を設計及び製造する必要がないため、製造コストを低減することができる。
【００３７】
（第２実施形態）
第２実施形態について説明する。第１実施形態と同一或いは類似の要素には同一の符号を付し、説明を省略することがある。
【００３８】
図１０は、第２実施形態に係る電子機器１の一例を模式的に示す図である。図示した電子機器１は、筐体２と、バンド３とを備える。筐体２の構造は、例えば第１実施形態と同様である。バンド３は、本体１３０と、第１ホルダ４ａと、第２ホルダ４ｂと、センサ５と、装着機構６（バックル）とを備える。本体１３０は、第１部分１３１と、第２部分１３２と、第３部分１３３とを備える。
【００３９】
第１部分１３１は、外周面１３１ａと、内周面１３１ｂとを有する。内周面１３１ｂはバンド３が生体に巻かれた際に生体と向い合う面であり、外周面１３１ａは内周面１３１ｂの反対側の面である。第２部分１３２及び第３部分１３３は、第１部分１３１の外周面１３１ａから延出（突出）している。
【００４０】
センサ５及び装着機構６は、第１部分１３１に設けられている。図１０の例において、センサ５は、連結機構５１ａ，５１ｂによって第１部分１３１に連結されたベース５０の内周面１３１ｂ側の面に取り付けられている。また、図１０の例において、センサ５、ベース５０、及び連結機構５１ａ，５１ｂは、第１部分１３１に第２部分１３２が接続される位置と、第１部分１３１に第３部分１３３が接続される位置との間に設けられている。センサ５、装着機構６、ベース５０、及び連結機構５１ａ，５１ｂは、例えば第１実施形態と同様の構造及び機能を有する。筐体２の内部に搭載されるコントローラ２１とセンサ５は、複数の導線７を介して電気的に接続されている。
【００４１】
導線７は、例えば第１実施形態と同じく、本体１３０（図１０の例においては第１部分１３１及び第２部分１３２）の内部に埋め込まれた管３１を通る。この管３１は、図５に示す拡大部分３１ａを有し、この拡大部分３１ａの内部において導線７はらせん状に巻かれている。
【００４２】
第１部分１３１は、例えば、ウレタンゴムなどの合成ゴム或いは天然ゴムのような柔軟性及び伸縮性を有する樹脂材料によって帯状に形成されている。第２部分１３２及び第３部分１３３は、例えば、第１部分１３１と同一の材料により第１部分１３１と一体的に形成されている。他の例として、第２部分１３２及び第３部分１３３は、第１部分１３１と別途に形成され、第１部分１３１に連結されてもよい。この場合において、第２部分１３２及び第３部分１３３は、例えばプラスチック、金属、或いは合金などの剛性を有する材料（剛体）によって形成されてもよい。
【００４３】
第１ホルダ４ａは、第１部分１３２の先端に設けられている。第２ホルダ４ｂは、第２部分１３３の先端に設けられている。第１ホルダ４ａは、第１端部２ｃを外周面１３１ａに対して移動可能に保持する。第２ホルダ４ｂは、第２端部２ｄを外周面１３１ａに対して移動可能に保持する。筐体２、第１ホルダ４ａ、及び第２ホルダ４ｂの構造は、例えば図６に示した例と同様のものを適用し得る。この場合において、第１端子２５及び第２端子３２の形状及び配列は、例えば図７及び図８に示した例と同様のものを適用し得る。
【００４４】
筐体２、第１ホルダ４ａ、及び第２ホルダ４ｂの構造の他の例を図１１に示す。この図の例においては、第１突出部分２３及び第２突出部分２４がフック状の形状を有し、第１ガイド４１及び第２ガイド４２が第１突出部分２３及び第２突出部分２４を受ける形状を有している。
【００４５】
具体的には、第１突出部分２３は第１面２ａ側に突出するリブ２３ａを有し、第２突出部分２４は第２面２ｂ側に突出するリブ２４ａを有する。また、第１ガイド４１はリブ２３ａと嵌め合う溝４１ａを有し、第２ガイド４２はリブ２４ａと嵌め合う溝４２ａを有する。破線で示すように筐体２を第１ホルダ４ａ及び第２ホルダ４ｂに取り付けると、各リブ２３ａ，２４ａと溝４１ａ，４２ａとが係合し、筐体２が強固に保持される。なお、図１１の例においては、第１ガイド４１及び第２ガイド４２が連結されていないが、図６に示したものと同様に連結部材によって連結されてもよい。
【００４６】
本実施形態の作用の一例について説明する。  
図１２及び図１３は、例えば人の手首である生体Ｐに電子機器１が装着された状態を模式的に示す図である。上述したように、第１ホルダ４ａ及び第２ホルダ４ｂは、それぞれ第１端部２ｃ及び第２端部２ｄを外周面１３１ａに対して移動可能に保持する。そのため、第１ホルダ４ａ及び第２ホルダ４ｂの間で筐体２と向い合う第１部分１３１は、筐体２の影響を殆ど受けることなく生体Ｐの形状に応じて変形（屈曲及び伸縮）することが可能であり、内周面１３１ｂが生体Ｐにフィットする。これにより、センサ５が生体Ｐの表面に密着し易くなり、バイタル値を正確に検出できる。
【００４７】
例えば筐体２が重力方向の上方に在り、生体Ｐが重力方向の下方に在る場合における筐体２の荷重は、図１２に２つの矢印Ｄ１で示すように第２部分１３２及び第３部分１３３の双方を介して第１部分１３１に伝わる。このように筐体２の荷重が分散されることで生体Ｐが局所的に圧迫されることがなく、電子機器１の着け心地が向上する。
【００４８】
図１２及び図１３において、生体Ｐの幅をそれぞれＷ１及びＷ２と定義する。また、図１２及び図１３において、第１部分１３１の外周面１３１ａ（筐体２と向い合うベース５０の面）から筐体２の第２面２ｂまでの高さをそれぞれＨ１及びＨ２と定義する。図１２及び図１３の例において、幅Ｗ２は幅Ｗ１よりも大きい（Ｗ２＞Ｗ１）。
【００４９】
図１３の例においては、図１２の例に比べて生体Ｐの幅が大きいため、第２部分１３２と第３部分１３３との間における第１部分１３１が例えば矢印Ｄ２で示す方向への張力により伸長する。これにより、高さＨ２は高さＨ１に比べて小さくなる（Ｈ２＜Ｈ１）。
【００５０】
このように、生体Ｐの幅に応じて外周面１３１ａと第２面２ｂとの間の距離が変化する原理につき、図１４及び図１５の模式図に基づいて説明する。これらの図においては、筐体２、第１部分１３１、第２部分１３２、及び第３部分１３３を単純なリンク機構によって表している。
【００５１】
図１４に示す筐体２、第２部分１３２、及び第３部分１３３の長さと、図１５に示すこれらの長さは同一であると仮定する。図１４は生体Ｐの幅がＷ１である場合に相当し、第２部分１３２及び第３部分１３３の間における第１部分１３１の長さがＬ１である。図１５は生体Ｐの幅がＷ２である場合に相当し、第２部分１３２及び第３部分１３３の間における第１部分１３１の長さがＬ２である。幅Ｗ２が幅Ｗ１よりも大きいため、長さＬ２は長さＬ１よりも大きくなる（Ｌ２＞Ｌ１）。
【００５２】
図１４の例において第１部分１３１と第２部分１３２及び第３部分１３３とが成す角度をそれぞれθ１と定義し、図１５の例におけるそれらの角度をそれぞれθ２と定義する。幾何学的に明らかなように、第１部分１３１の長さの違いにより、角度θ２は角度θ１よりも小さくなる（θ２＜θ１）。これに伴い、高さＨ２は高さＨ１よりも小さくなる。
【００５３】
このように、第１部分１３１に加わる力は、第１部分１３１の外周面１３１ａから筐体２の第２面２ｂまでの高さの変動によって吸収される。そのため、第１部分１３１に伸縮或いは曲げによる強い応力が加わったとしても、筐体２に破損や変形が生じにくい。  
以上説明した他にも、本実施形態によれば、第１実施形態と同様の作用、或いはさらに好適な種々の作用を得られる。
【００５４】
（変形例）
いくつかの変形例について説明する。  
筐体２には、ディスプレイ２０やコントローラ２１の他に、或いはこれらに代えて、種々の電子モジュールを設けることができる。例えば、筐体２は、押圧式のボタン、画像を撮像するカメラ、音声を出力するスピーカ、外部と有線又は無線にて通信する通信デバイスなどの電子モジュールを備えてもよい。
【００５５】
また、例えば図１６に示すように、筐体２の第２面２ｂに電子モジュール２００が配置されてもよい。この電子モジュール２００は、例えば太陽光などを受光して電力を生成する太陽光パネルである。このような太陽光パネルによって生成された電力は、例えば、バッテリ２２の充電に利用できる。これに限られず、電子モジュール２００は、ボタン、スピーカ、ディスプレイ、カメラ、或いは各種の端子などであってもよい。
【００５６】
第１ホルダ４ａ及び第２ホルダ４ｂは、電子モジュール２００が外側となるように裏返された筐体２が装着可能な構造であってもよい。また、この場合において、第１突出部分２３の両面に第１端子２５を設け、装着された筐体２の表裏によらず、いずれか一方の面に形成された第１端子２５が第２端子３２と導通する構造であってもよい。
【００５７】
センサ５は、必ずしも図１及び図１０に示す位置に設ける必要はなく、検出対象となるバイタル値に適した位置に設ければよい。また、センサ５を複数設けてもよい。図１７は、図１０に示した電子機器１において、４つのセンサ５ａ，５ｂ，５ｃ，５ｄを設けた例を示す。この例において、センサ５ａは、第１部分１３１に第２部分１３２が接続される位置と、第１部分１３１に第３部分１３３が接続される位置との間に設けられている。センサ５ｂは、センサ５ａと向い合う位置に設けられている。センサ５ｃは、第１部分１３１に第２部分１３２が接続される位置とセンサ５ｂとの間に設けられている。センサ５ｄは、第１部分１３１に第３部分１３３が接続される位置とセンサ５ｂとの間に設けられている。各センサ５ａ，５ｂ，５ｃ，５ｄは、それぞれ導線７ａ，７ｂ，７ｃ，７ｄを介して、筐体２の内部に設けられたコントローラ２１などの電子モジュールと電気的に接続されている。
【００５８】
各センサ５ａ，５ｂ，５ｃ，５ｄは、それぞれ異なるバイタル値を検出するものであってもよいし、同一のバイタル値を検出するものであってもよい。また、コントローラ２１は、各センサ５ａ，５ｂ，５ｃ，５ｄのなかからバイタル値の検出に用いるセンサを選択する機能を備えてもよい。例えばコントローラ２１は、タッチパネルの操作などによるユーザの指示に基づいてバイタル値の検出に用いるセンサを選択してもよいし、各センサ５ａ，５ｂ，５ｃ，５ｄの検出結果に基づいてバイタル値の検出に適したセンサを選択してもよい。
【００５９】
第１端子２５は、例えばＵＳＢ端子やＨＤＭＩ（登録商標）端子などのバス規格に準拠した端子であってもよい。この場合、例えば第１突出部分２３をバス規格に準拠したコネクタの形状として第１端子２５を設けるとともに、第１ホルダ４ａのガイド４１を当該バス規格に準拠したポートの形状としてもよい。このようにすれば、筐体２をパーソナルコンピュータなどの外部装置のポートや既成の変換プラグなどに直接接続することが可能となる。
【００６０】
第２端子３２は、第２ホルダ４ｂに設けられてもよいし、第１ホルダ４ａ及び第２ホルダ４ｂの双方に設けられてもよい。このような変形例において、第１端子２５は、第２端子３２に応じた位置に適宜設ければよい。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１…電子機器、２…筐体、２ｃ…第１端部、２ｄ…第２端部、３…バンド、４ａ…第１ホルダ、４ｂ…第２ホルダ、５…センサ、６…装着機構、７…導線、３０，１３０…本体、３０ａ，１３１ａ…外周面、３０ｂ，１３０ａ…内周面、５０…ベース、５１ａ，５１ｂ…連結機構、１３１…第１部分、１３２…第２部分、１３３…第３部分、Ｐ…生体。
【図１】
2015223220.tif 000003
【図２】
2015223220.tif 000004
【図３】
2015223220.tif 000005
【図４】
2015223220.tif 000006
【図５】
2015223220.tif 000007
【図６】
2015223220.tif 000008
【図７】
2015223220.tif 000009
【図８】
2015223220.tif 000010
【図９】
2015223220.tif 000011
【図１０】
2015223220.tif 000012
【図１１】
2015223220.tif 000013
【図１２】
2015223220.tif 000014
【図１３】
2015223220.tif 000015
【図１４】
2015223220.tif 000016
【図１５】
2015223220.tif 000017
【図１６】
2015223220.tif 000018
【図１７】
2015223220.tif 000019